(57)【要約】      （修正有）【課題】釘や楔のように強く打ち込んだものを掴んで捻ったり曲げたりせずに真っ直ぐに引き抜くことができるプライヤを提供する。【解決手段】ピボット軸２を中心に挟み部３，４と握り部５，６を有するプライヤ本体１の握り部６に、被殴打用突起部２１を有する被殴打部２０を設ける。【選択図】図１
0003173392.tif 000002
【実用新案登録請求の範囲】
【請求項１】
ピボット軸を中心に挟み部と握り部を有するプライヤ本体の握り部に、被殴打用突起部を有する被殴打部を設けたプライヤ。
【請求項２】
請求項１に記載のプライヤにおいて、被殴打部が、プライヤ本体の握り部から延長した延長取っ手部と、延長取っ手部に設けた被殴打用突起部とからなるプライヤ。
【請求項３】
請求項１又は２に記載のプライヤにおいて、被殴打部をプライヤ本体の握り部に着脱自在に設けたプライヤ。
【請求項４】
請求項１、２又は３に記載のプライヤにおいて、被殴打用突起部の殴打面部が、ピボット軸の軸心がほぼ水平なときにほぼ水平をなす角度関係に設けてあるプライヤ。
【請求項５】
請求項１乃至４のいずれかに記載のプライヤにおいて、被殴打部が釘抜き具からなるプライヤ。
【考案の詳細な説明】
【技術分野】
【０００１】
本考案は、やっとこ、ペンチなどの挟み工具全般を含むプライヤに関する。
本考案に係るプライヤ（pliers）は、やっとこ、ペンチなどの挟み工具全般を含み、ピボット軸（ジョイント部分）がスライド構造の日本で標準的なプライヤ（Slip joint pliers）はその中の一種で、その他に、ニードルノーズプライヤ（needle nose pliers） （ラジオペンチ）、ロッキングプライヤ(バイスグリップ)なども、プライヤの中の一種として含まれる。
【背景技術】
【０００２】
物を挟んだり、切ったり、掴んだりする作業用の工具として種々のプライヤが従来から知られている。 ピボット軸を中心に挟み部と握り部があり、握り部を掴むことによりてこの原理を応用して握力を倍加して挟み部で物を掴むことができる。
【考案の概要】
【考案が解決しようとする課題】
【０００３】
プライヤで物を掴むことはできたとしても、釘や楔のように強く打ち込んだものを掴んで捻ったり曲げたりせずに真っ直ぐに引き抜くことは難しい。釘抜き工具で抜く場合でも釘が曲がったり、抜き後の釘孔が大きく変形することがある。特に釘打ち機のピンネイルや木工家具の木製釘のように頭がないものでは釘抜きは使えない。
【課題を解決するための手段】
【０００４】
そこで、本考案は、実用新案登録請求の範囲の請求項１に記載のように、ピボット軸を中心に挟み部と握り部を有するプライヤ本体の握り部に、被殴打用突起部を有する被殴打部を一体に設け、抜きたい物を掴んで被殴打用突起をハンマー等でたたいて抜き方向の衝撃を与え真っ直ぐに抜くことができるプライヤを提供するものである。
【０００５】
また、本考案に係るプライヤは、請求項２に記載のように、請求項１に記載のプライヤにおいて、被殴打部が、プライヤの握り部から延長した延長取っ手部と、延長取っ手部に設けた被殴打用突起部とからなり、握り部から離れた被殴打用突起部をたたき易くしたプライヤを提供するものである。
【０００６】
また、本考案は、請求項３に記載のように、請求項１又は２に記載のプライヤにおいて、被殴打部を、プライヤ本体の握り部に着脱自在に設けたプライヤを提供するものである。
【０００７】
また、本考案は、請求項４に記載のように、請求項１、２又は３に記載のプライヤにおいて、被殴打用突起部の殴打面部が、ピボット軸の軸心がほぼ水平なときにほぼ水平をなす角度関係に設けてあり、殴打面部に加えられる殴打力がピボット軸にほぼ垂直に加わるプライヤを提供するものである。
【０００８】
また、本考案は、請求項５に記載のように、請求項１乃至４のいずれかに記載のプライヤにおいて、被殴打部が釘抜き具からなり、被殴打部を釘抜き具としても使用できるプライヤを提供するものである。
【考案の効果】
【０００９】
本考案に係るプライヤによれば、実用新案登録請求の範囲の請求項１に記載のように、ピボット軸を中心に挟み部と握り部を有するプライヤの握り部に、被殴打用突起部を有する被殴打部を一体に設けた構成を有することにより、抜きたい物を掴んで被殴打用突起をハンマー等でたたいて抜き方向に強い衝撃力を与えることができるから、釘や楔のように強く打ち込んだものを捻ったり曲げたりせずに真っ直ぐに軽快に引き抜くことができる効果がある。
【００１０】
また、本考案に係るプライヤによれば、請求項２に記載のように、請求項１に記載のプライヤにおいて、被殴打部が、プライヤの握り部から延長した延長取っ手部と、延長取っ手部に設けた被殴打用突起部とからなる構成を有することにより、握り部から離れた被殴打用突起部をたたくから、握り部を握った手を誤って打ったりすることがなく、たたき易くする効果がある。
【００１１】
また、本考案に係るプライヤによれば、請求項３に記載のように、請求項１又は２に記載のプライヤにおいて、被殴打部が、プライヤ本体の握り部に着脱自在に設けてあるから、プライヤ本体に必要に応じて被殴打部を着脱して使用することができる効果がある。
【００１２】
また、本考案に係るプライヤによれば、請求項４に記載のように、請求項１、２又は３に記載のプライヤにおいて、被殴打用突起部の殴打面部が、ピボット軸の軸心がほぼ水平なときにほぼ水平をなす角度関係に設けてあることにより、殴打面部に加えられる殴打力がピボット軸にほぼ垂直に加わり、抜きたい物に抜き方向に強い衝撃力を与えることができるから、釘や楔のように強く打ち込んだものを捻ったり曲げたりせずに真っ直ぐに軽快に引き抜くことができる効果がある。
【００１３】
また、本考案に係るプライヤによれば、請求項５に記載のように、請求項１乃至４のいずれかに記載のプライヤにおいて、被殴打部が釘抜き具からなり、被殴打部を釘抜き具としても使用できるプライヤを提供する効果がある。
【図面の簡単な説明】
【００１４】
【図１】本考案に係るプライヤの一実施例の正面図。
【図２】本考案の他の実施例の要部の正面図。
【考案を実施するための形態】
【００１５】
本考案に係るプライヤは、基本的に、ピボット軸２を中心に挟み部と握り部を有するプライヤ本体１の握り部５及び又は６に、被殴打用突起部２１を有する被殴打部２０を設け、抜きたい物を掴んで被殴打用突起２１を抜き方向にハンマー等でたたいて衝撃を与え、その衝撃力により真っ直ぐに軽い力で抜くことができるようにしたものである。
以下図示する実施例により本考案を詳細に説明する。
【実施例１】
【００１６】
図１に記載の実施例において、１はプライヤ本体で、ピボット軸２を中心に挟み部３、４と握り部５、６を有する。実施例の場合、挟み部３と握り部５は一体部材７、挟み部４と握り部６は一体部材８からなり、両部材７，８は、挟み部３，４及び握り部５，６を除いてピボット軸２の周囲において鋏のように接して回転自在に重なり合っており、挟み部３，４及び握り部５，６は厚みを設けて互いに対面するように構成してある。
【００１７】
実施例の場合、ピボット軸２は、図で裏側の一方の部材８に立設してあり、図で表側の他方の部材７にほぼ水平方向に設けた８の字状の長孔９に緩く嵌合して、ピボット軸２がスライド構造の日本で標準的なスリップジョイントプライヤを構成している。１０はピボット軸２の抜け止め用の座金である。
【００１８】
本考案に係るプライヤ本体１は、図示の実施例において、ピボット軸２を中心に挟み部４と握り部６を有する一方の部材８の握り部６に、被殴打用突起部２１を有する被殴打部２０を一体に設けた構成を有する。２５が被殴打用突起部２１に設けた殴打面部で、抜きたい物に抜き方向にハンマー等でたたいて衝撃を与えることができる。
【００１９】
このことにより、挟み部３，４で抜きたい物を掴んで握り部６の被殴打用突起２１の殴打面部２５をハンマー等でたたくと、抜き方向に強い衝撃力を与えることができるから、釘や楔のように強く打ち込んだものを捻ったり曲げたり破断することなく真っ直ぐにより軽快に引き抜くことができる。したがって、釘などを抜いた面も綺麗に保持できるから、同じ位置に再度釘などを打ち直すことも可能である。
【００２０】
また、図示の実施例の場合、被殴打部２０の構成は、プライヤ本体１の握り部６から延長した延長取っ手部２２を一体に設けて、延長取っ手部２２に被殴打用突起部２１を設けてある。このことから、握り部６から離れた被殴打用突起部２１をたたくから、握り部５，６を握った手を誤って打ったりすることがなく、容易にたたくことができる。
なお、握り部５，６が延長取っ手部２２を設ける必要がない程度に十分な長さを有する場合には、握り部５，６の端部に被殴打用突起部２１を設け、握り部５，６に直接に被殴打部２０を設けることができる。
【００２１】
また、図示の実施例の場合、被殴打部２０が釘抜き具からなり、被殴打部２０を釘抜き具としても使用できるプライヤを提供している。この場合、被殴打用突起部２１の先端部２３は釘抜き用のV字状の溝を備えており、その基端部２４は釘抜き用のてこの支点部となっている。このことにより、被殴打部２０を釘抜き具としても使用できる。
【実施例２】
【００２２】
図２に記載の実施例は、被殴打部２０の被殴打部用突起部２１は、釘抜き具ではなく、殴打面部２５を有するブロックからなる。図の実施例では、被殴打部２０は、プライヤ本体１の握り部６から延長した延長取っ手部２２を一体に設けて、延長取っ手部２２に被殴打用突起部２１を設けてあるが、先の実施例と同様に、握り部５，６が延長取っ手部２２を設ける必要がない程度に十分な長さを有する場合には、握り部５，６の端部に被殴打用突起部２１を設け、握り部５，６に直接に被殴打部２０を設けることができる。
【実施例３】
【００２３】
図では省略してあるが、図１又は図２において、被殴打部２０を握り部６に着脱自在に設けることができる。着脱方法としては、握り部６の接合端部に長手方向にねじ穴を設けると共に、延長取っ手部２２にねじ穴に螺合するねじ軸を突設して、ねじ込み式に着脱する方法、握り部６と延長取っ手部２２の接合部の外周に閉め具を取り付けて接合する方法、握り部６の端部にばね弾性で把持する引き掛け具を設けて、延長取っ手部２２の接合端部に設けた掛け金具を着脱自在に把持する方法など、従来公知の種々の構成の着脱方法を採用することができる。この着脱方法によっては、被殴打用突起部２１を回転させて突出方向を自在に変更して使用することができる場合がある。
【実施例４】
【００２４】
実施例１又は実施例２において、被殴打用突起部２１の殴打面部２５は、ピボット軸２の軸心がほぼ水平なときにほぼ水平をなす角度関係に設けてある。このことにより、殴打面部２５に加えられる殴打力がピボット軸２にほぼ垂直に加わり、抜きたい物に抜き方向に強い衝撃力を与えることができる。このことから、釘や楔のように強く打ち込んだものを捻ったり曲げたりせずに真っ直ぐに、より軽快に引き抜くことができる。
【符号の説明】
【００２５】
１      プライヤ本体
２      ピボット軸
３      挟み部
４      挟み部
５      握り部
６      握り部
７      他方の部材
８      一方の部材
９      長孔
１０    座金
２０    被殴打部
２１    被殴打用突起部
２２    延長取っ手部
２３    先端部
２４    基端部
２５    殴打面部
【図１】
0003173392.tif 000003
【図２】
0003173392.tif 000004